(57)【要約】【課題】  チケット発行側がユーザ側の電子チケットを格納した携帯通信装置の機能を柔軟に制御する。【解決手段】  携帯通信装置３００は、チケット情報を含む電子チケット情報９１を格納する情報格納部９０と、内蔵時計１９と、電子チケット情報９１から携帯通信装置３００が備える機能の一部または全部を停止させる期間を指定した禁止時間情報を抽出する情報抽出部８２と、禁止時間情報と内蔵時計１９で計時される時間情報とに基づいて携帯通信装置３００が備える機能の一部または全部を停止させる機能制限部８３とを備える。【選択図】  図１
2006025160.tif 000002
【特許請求の範囲】
【請求項１】
チケット情報を含む電子チケット情報を送信する電子チケット発行装置と、該電子チケット発行装置から上記電子チケット情報を受信して保持する携帯通信装置とを含む電子チケットシステムであって、
上記電子チケット発行装置は、上記携帯通信装置が備える機能の一部または全部を停止させる期間を指定した禁止時間情報を上記電子チケット情報に含めて送信するものであり、
上記携帯通信装置は、上記電子チケット発行装置から受信した上記電子チケット情報に含まれる上記禁止時間情報に基づいて当該携帯通信装置が備える機能の一部または全部を停止させるものであることを特徴とする電子チケットシステム。
【請求項２】
上記電子チケット発行装置は、上記携帯通信装置の停止させる機能を指定した禁止機能情報を上記電子チケット情報に含めて送信するものであり、
上記携帯通信装置は、上記電子チケット発行装置から受信した上記電子チケット情報に含まれる上記禁止機能情報で指定された機能を停止させるものであることを特徴とする請求項１に記載の電子チケットシステム。
【請求項３】
ユーザの入場時に上記携帯通信装置が格納している上記電子チケット情報を確認する電子チケット確認装置をさらに含み、
上記携帯通信装置は、上記電子チケット確認装置によって上記電子チケット情報の確認を受けた後、上記禁止時間情報に基づいて当該携帯通信装置が備える機能の一部または全部を停止させるものであることを特徴とする請求項１または２に記載の電子チケットシステム。
【請求項４】
ユーザの退場時に上記携帯通信装置が格納している上記電子チケット情報を確認する電子チケット確認装置をさらに含み、
上記携帯通信装置は、上記電子チケット確認装置によって上記電子チケット情報の確認を受けた後、停止させていた機能を再開させるものであることを特徴とする請求項１または２に記載の電子チケットシステム。
【請求項５】
上記携帯通信装置は、停止させていた機能を、上記電子チケット発行装置から受信した上記電子チケット情報に含まれる上記禁止時間情報に基づいて再開させるものであることを特徴とする請求項１から３のいずれか１項に記載の電子チケットシステム。
【請求項６】
上記電子チケット確認装置は、上記携帯通信装置に時間情報を送信するものであり、
上記携帯通信装置は、上記電子チケット確認装置から受信した上記時間情報に基づいて、内蔵時計の時刻を修正するとともに、当該内蔵時計の時刻をユーザが修正する機能を停止させるものであることを特徴とする請求項３または４に記載の電子チケットシステム。
【請求項７】
上記電子チケット発行装置は、上記携帯通信装置に保持された上記電子チケット情報の修正指示を送信するものであり、
上記携帯通信装置は、上記電子チケット発行装置から受信した上記禁止時間情報の修正指示に基づいて、保持している上記電子チケット情報を修正するものであることを特徴とする請求項１から６のいずれか１項に記載の電子チケットシステム。
【請求項８】
請求項１から７のいずれか１項に記載の電子チケットシステムを構成することを特徴とする電子チケット発行装置。
【請求項９】
請求項１から７のいずれか１項に記載の電子チケットシステムを構成することを特徴とする電子チケット確認装置。
【請求項１０】
チケット情報を含む電子チケット情報を格納する情報格納部と、
時計部と、
上記電子チケット情報から当該携帯通信装置が備える機能の一部または全部を停止させる期間を指定した禁止時間情報を抽出する情報抽出部と、
上記禁止時間情報と上記時計部で計時される時間情報とに基づいて当該携帯通信装置が備える機能の一部または全部を停止させる機能制限部と、を備えることを特徴とする携帯通信装置。
【請求項１１】
上記情報抽出部は、上記電子チケット情報から当該携帯通信装置の停止させる機能を指定した禁止機能情報を抽出するものであり、
上記機能制限部は、上記禁止機能情報で指定された機能を停止させるものであることを特徴とする請求項１０に記載の携帯通信装置。
【請求項１２】
上記機能制限部は、ユーザの入場後に、上記禁止時間情報に基づいて当該携帯通信装置が備える機能の一部または全部を停止させるものであることを特徴とする請求項１０または１１に記載の携帯通信装置。
【請求項１３】
上記機能制限部は、ユーザの退場後に、停止させていた機能を再開させるものであることを特徴とする請求項１０または１１に記載の携帯通信装置。
【請求項１４】
上記機能制限部は、停止させていた機能を、上記電子チケット情報に含まれる上記禁止時間情報と上記時計部で計時される時間情報とに基づいて再開させるものであることを特徴とする請求項１０から１３のいずれか１項に記載の携帯通信装置。
【請求項１５】
上記時計部の時刻をユーザが修正する機能を停止させる時計制御部を備えることを特徴とする請求項１０から１４のいずれか１項に記載の携帯通信装置。
【請求項１６】
通話機能、メール機能、カメラ機能、ボイスレコード機能の少なくともいずれか一つを備え、
該備える機能を上記機能制限部が停止させることを特徴とする請求項１０から１５のいずれか１項に記載の携帯通信装置。
【請求項１７】
チケット情報を含む電子チケット情報を情報格納部に格納するステップと、
上記電子チケット情報から当該携帯通信装置が備える機能の一部または全部を停止させる期間を指定した禁止時間情報を抽出するステップと、
上記禁止時間情報と時計部で計時される時間情報とに基づいて当該携帯通信装置が備える機能の一部または全部を停止させるステップと、を含むことを特徴とする携帯通信装置の制御方法。
【請求項１８】
請求項１０から１６のいずれか１項に記載の携帯通信装置を動作させる制御プログラムであって、コンピュータを上記の各部として機能させるための携帯通信装置の制御プログラム。
【請求項１９】
請求項１８に記載の携帯通信装置の制御プログラムを記録したコンピュータ読み取り可能な記録媒体。
【発明の詳細な説明】
【技術分野】
【０００１】
本発明は、チケットを電子的に取り扱う電子チケットシステム、電子チケット発行装置、電子チケット確認装置、携帯通信装置、携帯通信装置の制御方法、携帯通信装置の制御プログラムおよびそれを記録したコンピュータ読み取り可能な記録媒体に関するものである。
【背景技術】
【０００２】
現在、FeliCa（登録商標）搭載の携帯電話機等のように、非接触ＩＣを搭載した携帯通信装置が発表されている。そして、このような非接触ＩＣを搭載した携帯通信装置を用いた電子チケットシステムとして、電車の切符を電子チケットとし、自動券売機または公衆回線網を通じて携帯電話機に搭載された非接触ＩＣに書き込み、その非接触ＩＣと自動改札機とのデータ通信によって電子チケットを確認し、自動改札機のゲートを開くようにしたものが提案されている（特許文献１）。
【０００３】
また、非接触ＩＣを搭載した携帯通信装置を用いたゲートシステムとして、ゲートを通過したことを携帯通信装置が認識したときに、公衆回線網との接続を行うための無線部への電力供給を停止し、電車内や病院内等のように他人に迷惑がかかるような場所において、電話機能やメール機能を停止させるようにしたものが提案されている（特許文献２）。
【特許文献１】特開２００２−９２６７１号公報（公開日：平成１４年３月２９日）
【特許文献２】特開平１０−１９１４５４号公報（公開日：平成１０（１９９８）年７月２１日）
【発明の開示】
【発明が解決しようとする課題】
【０００４】
近年、携帯電話機の電波による医療機器への影響や、周囲の人に対する騒音が問題となっており、さらにカメラ付き携帯電話機による映画館やコンサート会場での盗撮や盗聴なども問題となっている。しかし、現状では、所有者が自主的に携帯電話機などの電源を切るしか対処の方法がなく、実際には、あまりマナーが守られていない。
【０００５】
上述したゲートシステム（特許文献２）によれば、管理者側で電話機能やメール機能を停止させることができるため、携帯電話機の電波による医療機器への影響、周囲の人に対する騒音問題を解決することができる。しかしながら、カメラ付き携帯電話機による映画館やコンサート会場での盗撮や盗聴の問題を解決することはできない。また、ゲート内では常に電話機能やメール機能が停止されるため、例えば、コンサート会場内で待ち合わせする場合や迷子になった場合に連絡を取ることができないといった問題点があった。
【０００６】
以上のように、携帯電話機等にかかる医療機器への影響、周囲の人に対する騒音、映画館やコンサート会場での盗撮や盗聴などの問題を、使い勝手の低下を抑制しつつ解決することが求められていた。
【０００７】
本発明は、上記の問題点に鑑みてなされたものであり、その目的は、チケット発行側がユーザ側の電子チケットを格納した携帯通信装置の機能を柔軟に制御することができる電子チケットシステム、電子チケット発行装置、電子チケット確認装置、携帯通信装置、携帯通信装置の制御方法、携帯通信装置の制御プログラムおよびそれを記録したコンピュータ読み取り可能な記録媒体を実現することにある。
【課題を解決するための手段】
【０００８】
上記課題を解決するために、本発明に係る電子チケットシステムは、チケット情報を含む電子チケット情報を送信する電子チケット発行装置と、該電子チケット発行装置から上記電子チケット情報を受信して保持する携帯通信装置とを含む電子チケットシステムであって、上記電子チケット発行装置は、上記携帯通信装置が備える機能の一部または全部を停止させる期間を指定した禁止時間情報を上記電子チケット情報に含めて送信するものであり、上記携帯通信装置は、上記電子チケット発行装置から受信した上記電子チケット情報に含まれる上記禁止時間情報に基づいて当該携帯通信装置が備える機能の一部または全部を停止させるものであることを特徴としている。
【０００９】
上記の構成によれば、携帯通信装置は、電子チケット発行装置が発行した電子チケット情報に含まれる禁止時間情報に基づいて当該携帯通信装置が備える機能の一部または全部を停止させることができる。よって、施設やイベント等の管理者は、携帯通信装置が備える機能の一部または全部を停止させたい場合に、その停止させたい時間帯を指定した情報を電子チケット情報に含ませればよい。したがって、医療機器への影響、周囲の人に対する騒音、映画館やコンサート会場での盗撮や盗聴などを管理者側で制御することができる。
【００１０】
さらに、本発明に係る電子チケットシステムは、上記電子チケット発行装置は、上記携帯通信装置の停止させる機能を指定した禁止機能情報を上記電子チケット情報に含めて送信するものであり、上記携帯通信装置は、上記電子チケット発行装置から受信した上記電子チケット情報に含まれる上記禁止機能情報で指定された機能を停止させるものであることを特徴としている。
【００１１】
上記の構成によれば、さらに、携帯通信装置は、電子チケット発行装置が発行した電子チケット情報に含まれる禁止機能情報に基づいて、当該携帯通信装置が備える機能の一部または全部を停止させることができる。すなわち、停止させる機能を電子チケット発行装置から指定することができる。よって、施設やイベント等の管理者は、携帯通信装置が備える機能の一部または全部を停止させたい場合に、その停止させたい機能を指定した情報を電子チケット情報に含ませればよい。したがって、医療機器への影響、周囲の人に対する騒音、映画館やコンサート会場での盗撮や盗聴などを管理者側でより柔軟に制御することができる。
【００１２】
さらに、本発明に係る電子チケットシステムは、ユーザの入場時に上記携帯通信装置が格納している上記電子チケット情報を確認する電子チケット確認装置をさらに含み、上記携帯通信装置は、上記電子チケット確認装置によって上記電子チケット情報の確認を受けた後、上記禁止時間情報に基づいて当該携帯通信装置が備える機能の一部または全部を停止させるものであることを特徴としている。
【００１３】
上記の構成によれば、さらに、ユーザの入場時に携帯通信装置が格納している電子チケット情報を電子チケット確認装置が確認し、その後、携帯通信装置が備える機能の一部または全部を停止させることができる。よって、入場者が情報端末装置持する携帯通信装置が備える機能を的確に停止させることができる。
【００１４】
さらに、本発明に係る電子チケットシステムは、ユーザの退場時に上記携帯通信装置が格納している上記電子チケット情報を確認する電子チケット確認装置をさらに含み、上記携帯通信装置は、上記電子チケット確認装置によって上記電子チケット情報の確認を受けた後、停止させていた機能を再開させるものであることを特徴としている。
【００１５】
上記の構成によれば、さらに、ユーザの退場時に携帯通信装置が格納している電子チケット情報を電子チケット確認装置が確認し、その後、携帯通信装置の停止していた機能を再開させることができる。よって、携帯通信装置の機能停止が管理領域外にまでおよぶことを防止できる。
【００１６】
さらに、本発明に係る電子チケットシステムは、上記携帯通信装置は、停止させていた機能を、上記電子チケット発行装置から受信した上記電子チケット情報に含まれる上記禁止時間情報に基づいて再開させるものであることを特徴としている。
【００１７】
上記の構成によれば、さらに、携帯通信装置は、備える機能の一部または全部を停止している機能を、電子チケット発行装置が発行した電子チケット情報に含まれる禁止時間情報に基づいて、再開させることができる。よって、携帯通信装置の機能停止が管理時間外にまでおよぶことを防止できる。
【００１８】
さらに、本発明に係る電子チケットシステムは、上記電子チケット確認装置は、上記携帯通信装置に時間情報を送信するものであり、上記携帯通信装置は、上記電子チケット確認装置から受信した上記時間情報に基づいて、内蔵時計の時刻を修正するとともに、当該内蔵時計の時刻をユーザが修正する機能を停止させるものであることを特徴としている。
【００１９】
上記の構成によれば、さらに、携帯通信装置は、電子チケット確認装置からの時間情報に基づいて時刻修正を行うとともに、手動で時刻修正を行う機能を停止する。よって、携帯通信装置は、管理者側の管理領域において正常な時刻を計時することになる。したがって、不正行為による禁止機能の解除を防止することができ、医療機器への影響、周囲の人に対する騒音、映画館やコンサート会場での盗撮や盗聴などを管理者側の管理領域において確実に制御することができる。
【００２０】
さらに、本発明に係る電子チケットシステムは、上記電子チケット発行装置は、上記携帯通信装置に保持された上記電子チケット情報の修正指示を送信するものであり、上記携帯通信装置は、上記電子チケット発行装置から受信した上記禁止時間情報の修正指示に基づいて、保持している上記電子チケット情報を修正するものであることを特徴としている。
【００２１】
上記の構成によれば、さらに、携帯通信装置は、電子チケット発行装置から修正指示があったとき、その修正指示に基づいて電子チケット情報に含まれる禁止時間情報および／または禁止機能情報を修正することができる。これにより、例えば映画やコンサートの開始時間が延期した場合にも対処することができる。
【００２２】
また、本発明に係る電子チケット発行装置は、上述の電子チケットシステムを構成するものである。
【００２３】
また、本発明に係る電子チケット確認装置は、上述の電子チケットシステムを構成するものである。
【００２４】
また、本発明に係る携帯通信装置は、チケット情報を含む電子チケット情報を格納する情報格納部と、時計部と、上記電子チケット情報から当該携帯通信装置が備える機能の一部または全部を停止させる期間を指定した禁止時間情報を抽出する情報抽出部と、上記禁止時間情報と上記時計部で計時される時間情報とに基づいて当該携帯通信装置が備える機能の一部または全部を停止させる機能制限部と、を備えることを特徴としている。
【００２５】
さらに、本発明に係る携帯通信装置は、上記情報抽出部は、上記電子チケット情報から当該携帯通信装置の停止させる機能を指定した禁止機能情報を抽出するものであり、上記機能制限部は、上記禁止機能情報で指定された機能を停止させるものであることを特徴としている。
【００２６】
さらに、本発明に係る携帯通信装置は、上記機能制限部は、ユーザの入場後に、上記禁止時間情報に基づいて当該携帯通信装置が備える機能の一部または全部を停止させるものであることを特徴としている。なお、入場の検出は、電子チケット確認装置により電子チケット情報を確認することによって行ってもよいし、携帯通信装置が備えるスイッチ等を手動によって操作することによって行ってもよい。
【００２７】
さらに、本発明に係る携帯通信装置は、上記機能制限部は、ユーザの退場後に、停止させていた機能を再開させるものであることを特徴としている。なお、退場の検出は、電子チケット確認装置により電子チケット情報を確認することによって行ってもよいし、携帯通信装置が備えるスイッチ等を手動によって操作することによって行ってもよい。
【００２８】
さらに、本発明に係る携帯通信装置は、上記機能制限部は、停止させていた機能を、上記電子チケット情報に含まれる上記禁止時間情報と上記時計部で計時される時間情報とに基づいて再開させるものであることを特徴としている。
【００２９】
さらに、本発明に係る携帯通信装置は、上記時計部の時刻をユーザが修正する機能を停止させる時計制御部を備えることを特徴としている。
【００３０】
さらに、本発明に係る携帯通信装置は、通話機能、メール機能、カメラ機能、ボイスレコード機能の少なくともいずれか一つを備え、該備える機能を上記機能制限部が停止させることを特徴としている。
【００３１】
さらに、本発明に係る携帯通信装置の制御方法は、チケット情報を含む電子チケット情報を情報格納部に格納するステップと、上記電子チケット情報から当該携帯通信装置が備える機能の一部または全部を停止させる期間を指定した禁止時間情報を抽出するステップと、上記禁止時間情報と時計部で計時される時間情報とに基づいて当該携帯通信装置が備える機能の一部または全部を停止させるステップと、を含むことを特徴としている。
【００３２】
なお、上記電子チケットシステムを構成する各装置、すなわち、電子チケット発行装置、電子チケット確認装置、携帯通信装置は、それぞれコンピュータによって実現してもよく、この場合には、コンピュータを上記各装置の所定の各機能手段として動作させることにより上記各装置をコンピュータにて実現させる上記各装置の制御プログラム、およびそれを記録したコンピュータ読み取り可能な記録媒体も、本発明の範疇に入る。
【発明の効果】
【００３３】
以上のように、本発明に係る電子チケットシステムは、電子チケット発行装置は、携帯通信装置が備える機能の一部または全部を停止させる期間を指定した禁止時間情報を電子チケット情報に含めて送信するものであり、携帯通信装置は、電子チケット発行装置から受信した電子チケット情報に含まれる禁止時間情報に基づいて当該携帯通信装置が備える機能の一部または全部を停止させるものである。
【００３４】
これにより、施設やイベント等の管理者は、携帯通信装置が備える機能の一部または全部を停止させたい場合に、その停止させたい時間帯の情報を電子チケット情報に含ませることによって、携帯通信装置が備える機能の一部または全部を停止させることができる。それゆえ、医療機器への影響、周囲の人に対する騒音、映画館やコンサート会場での盗撮や盗聴などを管理者側で制御することができるという効果を奏する。
【発明を実施するための最良の形態】
【００３５】
本発明の一実施の形態について図１から図５に基づいて説明すれば、以下のとおりである。
【００３６】
図２は、本発明の一実施の形態である電子チケットシステム５００の構成を示す説明図である。
【００３７】
図２に示すように、電子チケットシステム５００は、電子チケット発行装置１００、電子チケット確認装置２００、携帯通信装置３００を少なくとも含んで構成されている。
【００３８】
電子チケット発行装置１００と電子チケット確認装置２００とは、ＬＡＮ５０１を介して接続されている。また、電子チケット発行装置１００と基地局５１１とは、電話回線網５１２を用いた音声経路およびインターネット網５１３を用いたデータ経路によって接続されている。また、携帯通信装置３００と電子チケット発行装置１００とは、基地局５１１、および電話回線網５１２またはインターネット網５１３を介して接続されている。また、携帯通信装置３００と電子チケット確認装置２００とは、無線により直接接続されている。
【００３９】
電子チケットシステム５００では、電子チケット発行装置１００が電子チケットを発行する。また、携帯通信装置３００が電子チケット発行装置１００で発行された電子チケットを受信する。電子チケット確認装置２００が携帯通信装置３００に格納された電子チケットを確認する。
【００４０】
そして、電子チケットシステム５００では、電子チケット発行装置１００が、禁止機能情報および禁止時間情報を含む電子チケットを発行する一方、携帯通信装置３００が、電子チケット確認装置２００によって電子チケットの確認を受けた後、電子チケットに含まれる禁止機能情報および禁止時間情報に基づいて携帯通信装置３００が備える機能の一部または全部を停止させる。なお、携帯通信装置３００としては、例えば、携帯電話機、カメラ付き携帯電話機、ボイスレコーダ付き携帯電話機が利用できる。そして、それぞれの通話機能またはメール機能、カメラ機能、ボイスレコード機能を、電子チケットに含まれる禁止機能情報および禁止時間情報に基づいて停止させることができる。
【００４１】
図３は、電子チケットシステム５００を構成する携帯通信装置３００のハードウェア構成を示すブロック図である。
【００４２】
図３に示すように、携帯通信装置３００は、第１アンテナ１、無線部２、通信制御部３、信号処理部４、スピーカ５、マイク６、撮像部７、発光部８、画像処理部９、第１メモリ１０、表示ドライバ１１、表示部１２、第２メモリ１３、操作部１４、第２アンテナ１５、非接触ＩＣモジュール１６、非接触ＩＣ制御部１７、主制御部１８、内蔵時計（時計部）１９を備えて構成されている。
【００４３】
ここで、第１メモリ１０は、バッファ的な役割を果たすものであり、第２メモリ１３は、フラッシュメモリのように恒久的にデータを蓄積する役割を果たすものである。なお、携帯通信装置３００の記憶装置である第１メモリ１０および第２メモリ１３は、携帯通信装置３００の仕様に応じて構成を適宜変更可能であり、例えば、一体として設けてもよい。
【００４４】
そして、このように構成された携帯通信装置３００は、以下のように、通話機能、ボイスレコード機能、メール機能、カメラ機能などを有している。
【００４５】
まず、携帯通信装置３００では、通信制御部３による送受信制御のもとに、無線部２が第１アンテナ１を介して基地局５１１との信号の送受信を行い、信号処理部４が無線部２で送受信される信号に所定の信号処理を施す。これによって、基地局５１１を介して相手側装置から送信されてくる音声をスピーカ５から出力したり、マイク６から入力される音声を基地局５１１を介して相手側装置に送信するようになっている。すなわち、いわゆる通話機能が実現されている。
【００４６】
また、携帯通信装置３００では、信号処理部４によって処理される音声データを、操作部１４からの操作指示に基づいて第２メモリ１３に格納することができる。これによって、通話機能とは関係なく、マイク６から入力される音声を音声データに変換して第２メモリ１３に格納するようになっている。すなわち、いわゆるボイスレコード機能が実現されている。
【００４７】
また、携帯通信装置３００では、信号処理部４において、音声データのみではなく、電子メールやＷｅｂページなどのテキストデータや画像データやＨＴＭＬデータも同様に処理できる。そして、これら処理したデータを第１メモリ１０または第２メモリ１３に格納する。このとき、第１メモリ１０にデータを格納した場合、その格納したデータに基づいて表示ドライバ１１が表示用の駆動信号を生成し、表示部１２が画像や文字等を表示する。これにより、受信メール・受信画像の表示やＷｅｂページの閲覧が可能となっている。また、逆の手順により、メールや画像の送信を行うことが可能となっている。すなわち、このような動作によって、いわゆるメール機能が実現されている。
【００４８】
また、携帯通信装置３００は、ＣＣＤ（charge coupled device）やＣＭＯＳによって構成された撮像部７および補助光源に用いられる発光部８を備え、撮像部７で撮影した画像を画像処理部９によって露出・画質などを調整した後、第１メモリ１０に格納し、上述と同様にして表示部１２に画像をプレビュー表示するようになっている。また、このプレビュー表示の状態で操作部１４を用いた操作指示に基づいて画像を第２メモリ１３に格納するようになっている。すなわち、このような動作によって、いわゆるカメラ機能が実現されている。
【００４９】
また、携帯通信装置３００は、第２メモリ１３に、メールデータ・画像データ・音声データ・ＨＴＭＬデータのほか、電話帳データやスケジュール等の各種データを記憶するようになっている。また、操作部１４は、電話番号・文字・記号などの入力や各種機能の選択・起動・停止などの指示をユーザが行うことができるようになっている。
【００５０】
さらに、携帯通信装置３００は、非接触ＩＣモジュール１６を備え、第２アンテナ１５を介して電子チケット確認装置２００などの非接触ＩＣ用リーダライタとの送受信を行うことが可能となっている。この非接触ＩＣモジュール１６は内部に専用のメモリ（図示せず）を含んでおり、非接触ＩＣ制御部１７がこの内部メモリと主制御部１８とのデータ送受信制御を行うようになっている。
【００５１】
つづいて、図１を参照しながら、携帯通信装置３００における機能制限に関わるソフトウェア構成について説明する。なお、図１は、携帯通信装置３００の主制御部１８の機能制限に関わる詳細を示す機能ブロック図である。また、図４は、電子チケットのデータの一例を示す説明図である。
【００５２】
電子チケットシステム５００において、携帯通信装置３００は、特に、電子チケット管理部８１、情報抽出部８２、機能制限部８３、情報格納部９０、無線部２、内蔵時計１９を備えて構成されている。なお、電子チケット管理部８１、情報抽出部８２、機能制限部８３は、ソフトウェアに基づき主制御部１８に実現される機能である。また、情報格納部９０は、電子チケット等の情報を格納するメモリであり、第２メモリ１３および／または非接触ＩＣモジュール１６に対応する。
【００５３】
電子チケット管理部８１は、電子チケット発行装置１００で発行された電子チケットを無線部２から取得して、情報格納部９０に電子チケット情報９１として格納する。また、電子チケット管理部８１は、電子チケット発行装置１００からの電子チケットの修正指示を無線部２から取得して、情報格納部９０に格納されている電子チケット情報９１を修正する。これにより、例えば、コンサートのプログラムの変更に応じて、禁止時間情報を修正できる。
【００５４】
情報抽出部８２は、情報格納部９０に格納されている電子チケット情報９１に含まれる禁止機能情報および／または禁止時間情報を抽出する（図４）。
【００５５】
機能制限部８３は、情報抽出部８２によって抽出された禁止時間情報および内蔵時計１９によって計時される時間情報に基づいて、携帯通信装置３００の機能の一部または全部を停止させる。また、機能制限部８３は、情報抽出部８２によって抽出された禁止機能情報に基づく機能を、情報抽出部８２によって抽出された禁止時間情報および内蔵時計１９によって計時される時間情報に基づいて停止させる。なお、機能制限部８３は、携帯通信装置３００の機能の停止を、電子チケット確認装置２００にて電子チケットを確認することで入場を確認した後で行ってもよい。これにより、例えば、ユーザがコンサートホールへ入場した後で、機能を停止することができる。
【００５６】
また、機能制限部８３は、停止させた機能を、情報抽出部８２によって抽出された禁止時間情報および内蔵時計１９によって計時される時間情報に基づいて再開させる。なお、機能制限部８３は、携帯通信装置３００の停止させた機能の再開を、電子チケット確認装置２００にて電子チケットを確認することで退場を確認した後で行ってもよい。これにより、例えば、ユーザがコンサートホールから退場した後、停止させた機能を再開させることができる。
【００５７】
なお、ユーザが入退場する際、電子チケット確認装置２００のゲート２０１において携帯通信装置３００に格納された電子チケットを検出し、入退場の状態を示す情報を電子チケット確認装置２００から基地局５１１を介して携帯通信装置３００へ送信する（図２）。そして、入退場の状態を示す情報を無線部２を介して取得した電子チケット管理部８１が、情報格納部９０の入退場フラグ情報９２を書き換える。これにより、機能制限部８３は、入退場フラグ情報９２を参照することで入退場の状態を判断できる。
【００５８】
また、機能制限部８３は、内蔵時計制御部（時計制御部）８４を備えている。内蔵時計制御部８４は、無線部２を介して外部から受信した時間情報に基づいて内蔵時計１９によって計時される時間情報の修正を行うとともに、内蔵時計１９によって計時される時間情報を手動修正する機能を停止する。
【００５９】
ここで、図４に示すように、電子チケット情報９１は、ゲート２０１を開くためのチケット情報と、携帯通信装置３００の機能を制限するための機能制限情報を含む。チケット情報としては、例えば、コンサートの名称、会場名、開催日時が登録されている。また、機能制限情報は、禁止機能情報、禁止時間情報を含む。禁止機能情報は、携帯通信装置３００の制限する機能および制限の種別（停止等）を示す。禁止時間情報は、禁止機能情報に示される機能制限を行う期間を示す。なお、図４は電子チケット情報９１のデータ構造は一例であって、チケット情報と機能制限情報、禁止機能情報と禁止時間情報の格納形式はそれに限定されない。
【００６０】
なお、図４では、通話機能などの各機能が全部停止されるように指示されているが、それぞれの機能の一部のみが停止されるように指示することも可能である。具体的には、例えば、通話機能のうち、留守電機能を残してもよいし、バイブレーションによる着信報知の機能を残してもよい。
【００６１】
また、機能が停止された状態において、その状態の説明を表示部１２に表示するようにしてもよい。そして、表示する説明のメッセージ等の内容は、電子チケット情報９１に含めて電子チケット発行装置１００から送信し、携帯通信装置３００に格納し、表示する際に電子チケット情報９１から抽出してもよい。これにより、電子チケット情報９１ごとに異なる説明が表示できるため、緊急時の対処方法など施設やイベントに応じた説明の表示が可能となる。
【００６２】
上記の構成により、携帯通信装置３００が通話機能および／またはメール機能を備えた携帯電話機である場合、情報抽出部８２が電子チケット情報９１から抽出した禁止時間情報および内蔵時計１９にて計時した時間情報に基づいて、機能制限部８３が通話機能および／またはメール機能を停止させることができる。
【００６３】
上記の構成により、携帯通信装置３００がカメラ機能を備えたカメラ付き携帯電話機である場合、情報抽出部８２が電子チケット情報９１から抽出した禁止時間情報および内蔵時計１９にて計時した時間情報に基づいて、機能制限部８３がカメラ機能を停止させることができる。
【００６４】
上記の構成により、携帯通信装置３００がカメラ機能を備えたボイスレコーダ付き携帯電話機である場合、情報抽出部８２が電子チケット情報９１から抽出した禁止時間情報および内蔵時計１９にて計時した時間情報に基づいて、機能制限部８３がボイスレコード機能を停止させることができる。
【００６５】
上述のように構成された電子チケットシステム５００を用いて携帯通信装置３００が電子チケット発行装置１００から電子チケットを購入する方法としては、例えば次の方法がある。第一の方法としては、携帯通信装置３００が基地局５１１を介してインターネット網５１３に接続し、インターネット網５１３から電話回線網５１２を通じて電子チケット発行装置１００と接続して購入する。第二の方法としては、電子チケット発行装置１００が備える非接触ＩＣ用リーダライタ（図示せず）を介して携帯通信装置３００と電子チケット発行装置１００とを接続して購入する。
【００６６】
そして、電子チケット発行装置１００は、発行する電子チケットに禁止機能情報と禁止時間情報とを含めることができる。なお、これらの情報は、電子チケットの購入時に、携帯通信装置３００の表示部１２に表示されるようにすると良い。
【００６７】
また、電子チケットの購入の際、その電子チケットの情報（電子チケット情報９１）は、携帯通信装置３００の第２メモリ１３および非接触ＩＣモジュール１６に記憶される。また、これと同時に、電子チケット発行装置１００に含まれるサーバ１０１にも、購入した携帯通信装置３００の電話番号やメールアドレスが記憶される。
【００６８】
ここで、電子チケット情報９１を非接触ＩＣモジュール１６に記憶するのは入場等の際に電子チケット確認装置２００のゲート２０１で確認するためであり、電子チケット情報９１を第２メモリ１３に記憶するのは各種制御を行うためである。そして、携帯通信装置３００では、金銭を取り扱うことから高いセキュリティが要求される。そのため、非接触ＩＣモジュール１６と主制御部１８（携帯通信装置３００のＣＰＵ等）との間のデータ授受には、厳格に制限が設けられている。それゆえ、携帯通信装置３００では、主制御部１８が非接触ＩＣモジュール１６から電子チケット情報９１を取得しなくても、電子チケット情報９１に基づいて柔軟な制御を行えるようにするために、電子チケット情報９１を第２メモリ１３にも記憶する。なお、主制御部１８と非接触ＩＣモジュール１６との間でのデータ授受に課せられた制限が主制御部１８による各種制御を制限しない場合には、第２メモリ１３への記憶を省略してもよい。
【００６９】
そして、電子チケット発行装置１００は、サーバ１０１に記憶した電話番号やメールアドレスを用いて、電子チケットを購入した携帯通信装置３００と接続し、携帯通信装置３００の第２メモリ１３および非接触ＩＣモジュール１６に記憶された電子チケット情報９１の禁止時間情報等を変更するようになっている。
【００７０】
さらに、上述のようにして購入した電子チケットを用いて携帯通信装置３００が電子チケット確認装置２００の確認を得て入退場を行う方法としては、携帯通信装置３００の非接触ＩＣモジュール１６と電子チケット確認装置２００のゲート２０１に設けられた非接触ＩＣ用リーダライタとを無線で直接接続して確認する方法がある。
【００７１】
そして、電子チケット確認装置２００での電子チケットの確認は、携帯通信装置３００の非接触ＩＣモジュール１６から得られた電子チケットの情報と、ＬＡＮ５０１で接続された電子チケット発行装置１００に含まれるサーバ１０１に記憶された情報とを照合することで行われるようになっている。
【００７２】
また、電子チケット確認装置２００での電子チケットの確認結果は携帯通信装置３００および電子チケット発行装置１００に通知され、携帯通信装置３００および電子チケット発行装置１００において、入場または退場が認識されるようになっている。
【００７３】
さらに、電子チケット確認装置２００での電子チケットの確認時または確認結果通知時に、電子チケット発行装置１００が携帯通信装置３００に正確な時刻（時間情報）を通知する。このとき、携帯通信装置３００では、その時間情報に基づいて内蔵時計制御部８４が内蔵時計１９の時刻修正を行うとともに時刻の手動修正を禁止するようになっている。
【００７４】
次に、図５に示すフローチャートに基づいて、上述のように構成された携帯通信装置３００における、電子チケットに含まれる情報に基づいて各種機能を停止または再開するときの動作を説明する。
【００７５】
非接触ＩＣモジュール１６および非接触ＩＣ制御部１７には、電源のＯＮ・ＯＦＦに関係なく電源供給が行われている。この状態で非接触ＩＣ制御部１７は、非接触ＩＣモジュール１６での通信結果を監視しており、その通信結果が電子チケットの認証・許可に関するものである場合には、電源ＯＦＦの状態であっても主制御部１８への電源供給を開始させ、その通信結果を主制御部１８に送信する。
【００７６】
主制御部１８は、非接触ＩＣ制御部１７からの信号を受け、電子チケットを用いて入場したのか退場したのかを判断する（Ｓ１１）。この判断方法としては、電子チケット毎に入退場をチェックするためのフィールドを設け、電子チケットに対して認証・許可がある度にフラグ（入退場フラグ情報９２）を上げ下げすることで入場か退場かを判断することができる。
【００７７】
そして、主制御部１８において入場したと判断した場合（Ｓ１１でＹＥＳ）、非接触ＩＣモジュール１６を通じて電子チケット確認装置２００から受信した時間情報に基づいて内蔵時計制御部８４が内蔵時計１９の時刻修正を行うとともに（Ｓ１２）、内蔵時計１９を手動によって修正する機能を停止する（Ｓ１３）。
【００７８】
この状態において、基地局５１１を介して電子チケット発行装置１００から電子チケットの修正指示があった場合（Ｓ１４でＹＥＳ）、その電子チケットの修正指示は、信号処理部４を通じて主制御部１８に送信され、その修正指示を受けて電子チケット管理部８１が第２メモリ１３および非接触ＩＣモジュール１６に記憶された電子チケット情報９１を修正する（Ｓ１５）。
【００７９】
また、この状態において、機能制限部８３は、認証・許可を受けた電子チケット情報９１に含まれる禁止時間情報と内蔵時計１９の時間情報とを比較し、禁止機能の停止時刻と現在時刻とが一致したときに（Ｓ１６でＹＥＳ）、電子チケット情報９１に含まれる禁止機能情報に基づいて携帯通信装置３００が備える機能の一部または全部を停止する（Ｓ１７）。
【００８０】
そして、この禁止機能の停止状態において、機能制限部８３は、認証・許可を受けた電子チケット情報９１に含まれる禁止時間情報と内蔵時計１９の時間情報とを比較し、禁止機能の再開時刻と現在時刻とが一致したときに（Ｓ１９でＹＥＳ）、電子チケット情報９１に含まれる禁止機能情報に基づいて停止された機能の一部または全部を再開する（Ｓ２０）。なお、この再開する機能には、内蔵時計１９を手動によって修正する機能も含まれる。すなわち、内蔵時計制御部８４は、内蔵時計１９を手動による修正を可能とする。
【００８１】
また、この禁止機能の停止状態において、非接触ＩＣ制御部１７からの信号を受けた場合（Ｓ１８でＹＥＳ）、主制御部１８は、電子チケットを用いて入場したのか退場したのかを判断する（Ｓ１１）。
【００８２】
また、主制御部１８において退場したと判断された場合（Ｓ１１でＮＯ）、電子チケット情報９１に含まれる禁止機能情報に基づいて停止された機能の一部または全部を再開する（Ｓ２０）。なお、この再開される機能には、内蔵時計１９を手動によって修正する機能も含まれる。すなわち、内蔵時計制御部８４は、内蔵時計１９を手動による修正を可能とする。
【００８３】
このように、上記電子チケットシステム５００によれば、医療機器への影響、周囲の人に対する騒音、映画館やコンサート会場での盗撮や盗聴などの問題を、使い勝手の低下を抑制しつつ解決することができる。すなわち、例えば、コンサートの主催者側で、盗撮および盗聴を防止したい場合には、電子チケットの禁止機能情報として、カメラ機能およびボイスレコード機能を含めるようにすれば良く、またコンサート中の通話やメール送受信を禁止したい場合には、電子チケットの禁止機能情報として通信機能を含めるようにすれば良い。また、このように禁止機能を設定した場合にも、コンサートが始まるまでは、撮影、ボイスレコード、通話およびメール送受信を行うことができるため、ユーザに対して必要以上の負担を強いることがなく、コンサート会場内での待合せなども行うことができる。
【００８４】
本発明の電子チケットシステムは、電子チケット発行装置と、前記電子チケット発行装置で発行された電子チケットを受信する携帯通信装置とを含み、前記電子チケット発行装置が、禁止時間情報を含む電子チケットを発行する一方、前記携帯通信装置が、前記電子チケットに含まれる禁止時間情報に基づいて当該携帯通信装置３００が備える機能の一部または全部を停止させるよう構成されていてもよい。
【００８５】
よって、携帯通信装置は、電子チケット発行装置が発行した電子チケットに含まれる禁止時間情報に基づいて当該携帯通信装置が備える機能の一部または全部を停止させることができる。そのため、管理者側は、携帯通信装置が備える機能の一部または全部を停止させたい場合に、その停止させたい時間帯を電子チケットに含ませれば良い。これにより、医療機器への影響、周囲の人に対する騒音、映画館やコンサート会場での盗撮や盗聴などを管理者側で制御することができる。
【００８６】
また、本発明の電子チケットシステムは、電子チケット発行装置と、前記電子チケット発行装置で発行された電子チケットを受信する携帯通信装置とを含み、前記電子チケット発行装置が、禁止機能情報および禁止時間情報を含む電子チケットを発行する一方、前記携帯通信装置が、前記電子チケットに含まれる禁止機能情報および禁止時間情報に基づいて当該携帯通信装置が備える機能の一部または全部を停止させるよう構成されていてもよい。
【００８７】
よって、携帯通信装置は、電子チケット発行装置が発行した電子チケットに含まれる禁止機能情報および禁止時間情報に基づいて、当該携帯通信装置が備える機能の一部または全部を停止させることができる。そのため、管理者側は、携帯通信装置が備える機能の一部または全部を停止させたい場合に、その停止させたい機能と時間帯とを電子チケットに含ませれば良い。これにより、医療機器への影響、周囲の人に対する騒音、映画館やコンサート会場での盗撮や盗聴などを管理者側で制御することができる。
【００８８】
また、本発明の電子チケットシステムは、電子チケット発行装置と、前記電子チケット発行装置で発行された電子チケットを受信する携帯通信装置と、前記携帯通信装置の電子チケットを確認する電子チケット確認装置とを含み、前記電子チケット発行装置が、禁止時間情報を含む電子チケットを発行する一方、前記携帯通信装置が、前記電子チケット確認装置によって電子チケットの確認を受けた後、前記電子チケットに含まれる禁止時間情報に基づいて当該携帯通信装置が備える機能の一部または全部を停止させるよう構成されていてもよい。
【００８９】
よって、携帯通信装置は、電子チケット確認装置によって電子チケットの確認を受けた後、当該電子チケットに含まれる禁止時間情報に基づいて当該携帯通信装置が備える機能の一部または全部を停止させることができる。そのため、管理者側は、携帯通信装置が備える機能の一部または全部を停止させたい場合に、その停止させたい時間帯を電子チケットに含ませれば良い。これにより、医療機器への影響、周囲の人に対する騒音、映画館やコンサート会場での盗撮や盗聴などを管理者側の管理領域において制御することができる。
【００９０】
また、本発明の電子チケットシステムは、電子チケット発行装置と、前記電子チケット発行装置で発行された電子チケットを受信する携帯通信装置と、前記携帯通信装置の電子チケットを確認する電子チケット確認装置とを含み、前記電子チケット発行装置が、禁止機能情報および禁止時間情報を含む電子チケットを発行する一方、前記携帯通信装置が、前記電子チケット確認装置によって電子チケットの確認を受けた後、前記電子チケットに含まれる禁止機能情報および禁止時間情報に基づいて当該携帯通信装置が備える機能の一部または全部を停止させるよう構成されていてもよい。
【００９１】
よって、携帯通信装置は、電子チケット確認装置によって電子チケットの確認を受けた後、当該電子チケットに含まれる禁止機能情報および禁止時間情報に基づいて当該携帯通信装置が備える機能の一部または全部を停止させることができる。そのため、管理者側は、携帯通信装置が備える機能の一部または全部を停止させたい場合に、その停止させたい機能と時間帯とを電子チケットに含ませれば良い。これにより、医療機器への影響、周囲の人に対する騒音、映画館やコンサート会場での盗撮や盗聴などを管理者側の管理領域において制御しつつ、管理領域外にまでおよび過剰な管理を防止することができる。
【００９２】
さらに、本発明の電子チケットシステムは、上述の電子チケットシステムにおいて、前記電子チケット確認装置が、前記携帯通信装置に時間情報を送信する一方、前記携帯通信装置が、前記電子チケット確認装置から受信した時間情報に基づいて時刻修正を行うとともに、手動で時刻修正を行う機能を停止するよう構成されていてもよい。
【００９３】
よって、携帯通信装置は、電子チケット確認装置からの時間情報に基づいて時刻修正を行うとともに、手動で時刻修正を行う機能を停止する。そのため、携帯通信装置は、管理者側の管理領域において正常な時刻を計時することになる。これにより、不正行為による禁止機能の解除を防止することができ、医療機器への影響、周囲の人に対する騒音、映画館やコンサート会場での盗撮や盗聴などを管理者側の管理領域において確実に制御することができる。
【００９４】
さらに、本発明の電子チケットシステムは、上述の電子チケットシステムにおいて、前記電子チケット確認装置が、前記携帯通信装置の電子チケットの確認結果に基づいて開閉するゲートを備える一方、前記携帯通信装置が、前記ゲートを通って入場した後、前記電子チケットに含まれる禁止時間情報に基づいて当該携帯通信装置が備える機能の一部または全部を停止させ、また前記ゲートを通って退場した後、停止させた機能を再開させるよう構成されていてもよい。
【００９５】
よって、携帯通信装置は、ゲートを通って入場した後、電子チケットに含まれる禁止時間情報に基づいて当該携帯通信装置が備える機能の一部または全部を停止し、またゲートを通って退場した後、停止させた機能を再開させることができる。これにより、医療機器への影響、周囲の人に対する騒音、映画館やコンサート会場での盗撮や盗聴などを管理者側の管理領域において制御しつつ、管理領域外にまでおよぶ過剰な管理を防止することができる。
【００９６】
さらに、本発明の電子チケットシステムは、上述の電子チケットシステムにおいて、前記電子チケット確認装置が、前記携帯通信装置の電子チケットの確認結果に基づいて開閉するゲートを備える一方、前記携帯通信装置が、前記ゲートを通って入場した後、前記電子チケットに含まれる禁止機能情報および禁止時間情報に基づいて当該携帯通信装置が備える機能の一部または全部を停止させ、また前記ゲートを通って退場した後、停止させた機能を再開させるよう構成されていてもよい。
【００９７】
よって、携帯通信装置は、ゲートを通って入場した後、電子チケットに含まれる禁止機能情報および禁止時間情報に基づいて当該携帯通信装置が備える機能の一部または全部を停止し、またゲートを通って退場した後、停止させた機能を再開させることができる。これにより、医療機器への影響、周囲の人に対する騒音、映画館やコンサート会場での盗撮や盗聴などを管理者側の管理領域において制御しつつ、管理領域外にまでおよぶ過剰な管理を防止することができる。
【００９８】
さらに、本発明の電子チケットシステムは、上述の何れかの電子チケットシステムにおいて、前記携帯通信装置が、当該携帯通信装置が備える機能の一部または全部を停止させた後、当該停止させた機能を、前記電子チケットに含まれる禁止時間情報に基づいて再開させるよう構成されていてもよい。
【００９９】
よって、携帯通信装置は、携帯通信装置が備える機能の一部または全部を停止している状態において、その停止している機能を、電子チケットに含まれる禁止時間情報に基づいて再開させることができる。これにより、医療機器への影響、周囲の人に対する騒音、映画館やコンサート会場での盗撮や盗聴などを管理時間内において制御しつつ、管理時間外にまでおよぶ過剰な管理を防止することができる。
【０１００】
さらに、本発明の電子チケットシステムは、上述の何れかの電子チケットシステムにおいて、前記電子チケット発行装置が、前記電子チケットに含まれる禁止時間情報の修正を指示する一方、前記携帯通信装置が、前記電子チケット発行装置からの修正指示に基づいて前記電子チケットに含まれる禁止時間情報を修正するよう構成されていてもよい。
【０１０１】
よって、携帯通信装置は、電子チケット発行装置から修正指示があったとき、その修正指示に基づいて電子チケットに含まれる禁止時間情報を修正することができる。これにより、映画やコンサートの開始時間が延期した場合にも対処することができる。
【０１０２】
また、本発明の電子チケットシステムは、上述の何れかの電子チケットシステムにおいて、前記携帯通信装置が、電話機能またはメール機能を停止させるよう構成されていてもよい。
【０１０３】
また、本発明の電子チケットシステムは、上述の何れかの電子チケットシステムにおいて、前記携帯通信装置が、カメラ機能またはボイスレコード機能を停止させるよう構成されていてもよい。
【０１０４】
また、本発明の携帯通信装置は、電子チケット発行装置で発行された電子チケットを受信する携帯通信装置であって、時計手段と、前記電子チケットに含まれる禁止時間情報を抽出する情報抽出手段と、前記情報抽出手段によって抽出された禁止時間情報および前記時計手段によって計時される時間情報に基づいて一部または全部の機能を停止させる制御手段とを備えて構成されていてもよい。
【０１０５】
さらに、本発明の携帯通信装置は、上述の携帯通信装置において、電子チケット確認装置との間でデータの送受信を行うデータ通信手段を備え、前記制御手段が、前記データ通信手段を通じて前記電子チケットの確認作業が行われた後、前記情報抽出手段によって抽出された禁止時間情報および前記時計手段によって計時される時間情報に基づいて一部または全部の機能を停止させるよう構成されていてもよい。
【０１０６】
また、本発明の携帯通信装置３００は、電子チケット発行装置で発行された電子チケットを受信する携帯通信装置であって、時計手段と、前記電子チケットに含まれる禁止機能情報および禁止時間情報を抽出する情報抽出手段と、前記情報抽出手段によって抽出された禁止機能情報に基づく機能を、前記情報抽出手段によって抽出された禁止時間情報および前記時計手段によって計時される時間情報に基づいて停止させる制御手段とを備えて構成されていてもよい。
【０１０７】
さらに、本発明の携帯通信装置は、上述の携帯通信装置において、電子チケット確認装置との間でデータの送受信を行うデータ通信手段を備え、前記制御手段が、前記データ通信手段を通じて前記電子チケットの確認作業が行われた後、前記情報抽出手段によって抽出された禁止機能情報に基づく機能を、前記情報抽出手段によって抽出された禁止時間情報および前記時計手段によって計時される時間情報に基づいて停止させるよう構成されていてもよい。
【０１０８】
さらに、本発明の携帯通信装置は、上述の携帯通信装置において、電子チケット確認装置との間でデータの送受信を行うデータ通信手段を備え、前記制御手段が、前記データ通信手段を通じて受信した禁止時間情報に基づいて前記時計手段によって計時される時間情報の修正を行うとともに、前記時計手段によって計時される時間情報を手動修正する機能を停止するよう構成されていてもよい。
【０１０９】
さらに、本発明の携帯通信装置は、上述の携帯通信装置において、前記制御手段が、前記データ通信手段を通じて退場が確認された後、前記停止させた機能を再開させるよう構成されていてもよい。
【０１１０】
さらに、本発明の携帯通信装置は、上述の携帯通信装置において、前記制御手段が、前記停止させた機能を、前記情報抽出手段によって抽出された禁止時間情報および前記時計手段によって計時される時間情報に基づいて再開させるよう構成されていてもよい。
【０１１１】
さらに、本発明の携帯通信装置は、上述の携帯通信装置において、前記電子チケット発行装置からの修正指示を受信する受信手段を備え、前記制御手段が、前記受信手段によって受信された修正指示に基づいて前記電子チケットに含まれる禁止時間情報を修正するよう構成されていてもよい。
【０１１２】
また、本発明の携帯電話機は、電子チケット発行装置で発行された電子チケットを受信可能な携帯電話機であって、時計手段と、前記電子チケットに含まれる禁止時間情報を抽出する情報抽出手段と、前記情報抽出手段によって抽出された禁止時間情報および前記時計手段によって計時される時間情報に基づいて通話機能またはメール機能を停止させる制御手段とを備えて構成されていてもよい。
【０１１３】
また、本発明のカメラ付き携帯電話機は、電子チケット発行装置で発行された電子チケットを受信可能なカメラ付き携帯電話機であって、時計手段と、前記電子チケットに含まれる禁止時間情報を抽出する情報抽出手段と、前記情報抽出手段によって抽出された禁止時間情報および前記時計手段によって計時される時間情報に基づいてカメラ機能を停止させる制御手段とを備えて構成されていてもよい。
【０１１４】
また、本発明のボイスレコーダ付き携帯電話機は、電子チケット発行装置で発行された電子チケットを受信可能なボイスレコーダ付き携帯電話機であって、時計手段と、前記電子チケットに含まれる禁止時間情報を抽出する情報抽出手段と、前記情報抽出手段によって抽出された禁止時間情報および前記時計手段によって計時される時間情報に基づいてボイスレコード機能を停止させる制御手段とを備えて構成されていてもよい。
【０１１５】
最後に、電子チケット発行装置１００、電子チケット確認装置２００、携帯通信装置３００、特に携帯通信装置３００の電子チケット管理部８１、情報抽出部８２、機能制限部８３は、ハードウェアロジックによって構成してもよいし、次のようにＣＰＵを用いてソフトウェアによって実現してもよい。
【０１１６】
すなわち、電子チケット発行装置１００、電子チケット確認装置２００、携帯通信装置３００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子チケット発行装置１００、電子チケット確認装置２００、携帯通信装置３００の制御プログラムのプログラムコード（実行形式プログラム、中間コードプログラム、ソースプログラム）をコンピュータで読み取り可能に記録した記録媒体を、上記電子チケット発行装置１００、電子チケット確認装置２００、携帯通信装置３００に供給し、そのコンピュータ（またはＣＰＵやＭＰＵ）が記録媒体に記録されているプログラムコードを読み出し実行することによっても、達成可能である。
【０１１７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１８】
また、電子チケット発行装置１００、電子チケット確認装置２００、携帯通信装置３００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２０】
本発明の電子チケットシステムは、チケット発行側がユーザ側の電子チケットを格納した携帯通信装置の機能を柔軟に制御できるため、ゲート内の領域における携帯通信装置の使用を制限したい施設やイベント等に入場するためのチケットの発行および確認のシステムに広く適用可能であり、特に、病院、交通機関、映画館、コンサート会場等のチケットの発行および確認のシステムとして好適である。
【図面の簡単な説明】
【０１２１】
【図１】図２に示した携帯通信装置の主制御部の機能制限に関わる詳細を示す機能ブロック図である。
【図２】本発明の一実施の形態に係る電子チケットシステムの構成を示す説明図である。
【図３】図２に示した携帯通信装置のハードウェア構成を示すブロック図である。
【図４】図２に示した電子チケットシステムで使用する電子チケットのデータの一例を示す説明図である。
【図５】図２に示した携帯通信装置における、電子チケットに含まれる情報に基づいて各種機能を停止または再開するときの動作を示すフローチャートである。
【符号の説明】
【０１２２】
１９    内蔵時計（時計部）
８２    情報抽出部
８３    機能制限部
８４    内蔵時計制御部（時計制御部）
９０    情報格納部
９１    電子チケット情報
１００    電子チケット発行装置
２００    電子チケット確認装置
３００    携帯通信装置
５００    電子チケットシステム
【図１】
2006025160.tif 000003
【図２】
2006025160.tif 000004
【図３】
2006025160.tif 000005
【図４】
2006025160.tif 000006
【図５】
2006025160.tif 000007